(57)【要約】      （修正有）【課題】この構造によって、同一層の布地が保湿及び導電の効果を併有し、使用寿命及び導電品質を向上させる保湿導電構造を提供する。【解決手段】保湿導電構造２０は、平織法、鎖編み法または不織布法により導電紡績ユニット２００と保湿紡績ユニット２０１とを平面体構造に交互に編組して、保湿紡績ユニット２０１が水分を導電紡績ユニット２００と人体の皮膚との間に直接に吸収及び放出可能に確保し、また、導電紡績ユニット２００と保湿紡績ユニット２０１とは同一層に緻密に絡まれているため、保湿紡績ユニット２０１が長期間で潤湿されることによる導電紡績ユニット２００と保湿紡績ユニット２０１とが分離されて機能まで影響してしまうことはない。【選択図】図３
0003182968.tif 000002
【実用新案登録請求の範囲】
【請求項１】
少なくとも一つの導電紡績ユニットと、
少なくとも一つの保湿紡績ユニットと、を含み、
前記導電紡績ユニットと前記保湿紡績ユニットとは、平面体構造に交互に編組されることを特徴とする、保湿導電構造。
【請求項２】
前記導電紡績ユニットは、金属繊維、カーボンナノチューブ繊維及びカーボン繊維のうち一つであることを特徴とする請求項１に記載の保湿導電構造。
【請求項３】
前記導電紡績ユニットは、金属繊維紗、カーボンナノチューブ繊維紗及びカーボン繊維紗のうち一つであることを特徴とする請求項１に記載の保湿導電構造。
【請求項４】
前記保湿紡績ユニットは、多孔質繊維、アルギン酸ナトリウム繊維、カルボキシメチルセルロース繊維及びレーヨン短繊維のうち一つであることを特徴とする請求項１に記載の保湿導電構造。
【請求項５】
前記保湿紡績ユニットは、多孔質繊維紗、アルギン酸ナトリウム繊維紗、カルボキシメチルセルロース繊維紗及びレーヨン短繊維紗のうち一つであることを特徴とする請求項１に記載の保湿導電構造。
【請求項６】
前記導電紡績ユニットと前記保湿紡績ユニットとは、平織方式により平面体構造に交互に編組されることを特徴とする請求項１に記載の保湿導電構造。
【請求項７】
前記導電紡績ユニットと前記保湿紡績ユニットとは、鎖編み方式により平面体構造に交互に編組されることを特徴とする請求項１に記載の保湿導電構造。
【請求項８】
前記導電紡績ユニットと前記保湿紡績ユニットとは、不織布方式により平面体構造に交互に編組されることを特徴とする請求項１に記載の保湿導電構造。
【考案の詳細な説明】
【技術分野】
【０００１】
本考案は、保湿導電構造に係り、特に、保湿及び導電の機能を併有する保湿導電構造に関する。
【背景技術】
【０００２】
図１に示すように、従来の生理検出用のセンシング素子１は、下地層１０と、下地層１０に設けられた導電層１１とを備え、使用時に、導電層１１を人体の皮膚に貼り付け、体から発する信号を検出するようになっているが、一部の乾燥地域では、湿度が低すぎるため、このようなセンシング素子１の導電層１１と人体の皮膚との間の導電効果があまり良くないため、体からの信号を検出することができない。
【０００３】
そのため、図２に示すように、これらの事情に対し、導電層１１と下地層１０との間に保湿層１２を加え、保湿層１２で液体を吸い込んで導電層１１と人体の皮膚との間の湿度を向上させ、導電層１１の導電効果を高めるように改良を行ってきたが、保湿層１２と導電層１１とがそれぞれ異なる層であるため、保湿層１２が外部の水分を吸い込もうとすると、導電層１１を透過しなければならないため、吸水効果に影響してしまい、保湿層１２が水分を導電層１１と人体の皮膚との間に放出する場合も、導電層１１の阻止によってその水分の放出に影響を与えてしまう。
【０００４】
また、保湿層１２と導電層１１とが外力により結合（例えば、接着）された２層のことであるため、長期間に亘って保湿層１２の高湿度の影響によって分離しやすく、これもセンシング素子１が元の効果を失う要因となっている。
【０００５】
これに鑑みて、本考案者は、専念に研究や設計、組み立てをし、導電品質及び製品寿命を向上させる目的を達するように保湿及び導電の機能を有する構造を提供することが、本考案の創作動機である。
【考案の概要】
【考案が解決しようとする課題】
【０００６】
本考案は、保湿及び導電の機能を有する保湿導電構造を提供することを主な目的とする。
【課題を解決するための手段】
【０００７】
前記目的を達成するため、本考案に係る保湿導電構造は、少なくとも一つの導電紡績ユニットと、少なくとも一つの保湿紡績ユニットとを含み、これらの導電紡績ユニットとこれらの保湿紡績ユニットとは平面体構造に交互に編組される。
【０００８】
上記のような保湿導電構造において、当該導電紡績ユニットは、金属繊維、カーボンナノチューブ繊維及びカーボン繊維のうち一つである。
【０００９】
上記のような保湿導電構造において、当該導電紡績ユニットは、金属繊維紗、カーボンナノチューブ繊維紗及びカーボン繊維紗のうち一つである。
【００１０】
上記のような保湿導電構造において、当該保湿紡績ユニットは、多孔質繊維、アルギン酸ナトリウム繊維、カルボキシメチルセルロース繊維及びレーヨン短繊維のうち一つである。
【００１１】
上記のような保湿導電構造において、当該保湿紡績ユニットは、多孔質繊維紗、アルギン酸ナトリウム繊維紗、カルボキシメチルセルロース繊維紗及びレーヨン短繊維紗のうち一つである。
【００１２】
上記のような保湿導電構造において、これらの導電紡績ユニットとこれらの保湿紡績ユニットとは、平織方式により平面体構造に交互に編組される。
【００１３】
上記のような保湿導電構造において、これらの導電紡績ユニットとこれらの保湿紡績ユニットとは、鎖編み方式により平面体構造に交互に編組される。
【００１４】
上記のような保湿導電構造において、これらの導電紡績ユニットとこれらの保湿紡績ユニットとは、不織布方式により平面体構造に交互に編組される。
【考案の効果】
【００１５】
上記のような保湿導電構造は、平織法、鎖編み法または不織布法により導電紡績ユニットと保湿紡績ユニットとを平面体構造に交互に編組して、保湿紡績ユニットが水分を導電紡績ユニットと人体の皮膚との間に直接に吸収及び放出可能に確保し、また、導電紡績ユニットと保湿紡績ユニットとは同一層に緻密に絡まれているため、保湿紡績ユニットが長期間で潤湿されることによる導電紡績ユニットと保湿紡績ユニットとが分離されて機能まで影響してしまうことはない。よって、本考案は、従来の技術上の欠点を確実に改善した。
【図面の簡単な説明】
【００１６】
【図１】従来の生理検出用のセンシング素子の側面図である。
【図２】従来の生理検出用のセンシング素子の側面図である。
【図３】本考案の保湿導電構造の第１実施例を示す図である。
【図４】本考案の保湿導電構造の第２実施例を示す図である。
【図５】本考案の保湿導電構造の第３実施例を示す図である。
【考案を実施するための形態】
【００１７】
本考案の特徴、特点及び技術内容をさらに深く理解を得るため、以下の本考案に係る詳細説明及び添付図面を参照すれば得られるが、前記添付図面は参考や説明のみ提供され、本考案を限定するものではない。
【実施例】
【００１８】
図３は、本考案の保湿導電構造の第１実施例を示す図である。図３に示すように、本実施例では、本考案の保湿導電構造２０は、少なくとも一つの導電紡績ユニット２００と、少なくとも一つの保湿紡績ユニット２０１とを含み、本実施例においていずれも複数本であり、これらの導電紡績ユニット２００とこれらの保湿紡績ユニット２０１とは平面体構造に交互に編組されている。
【００１９】
図４は、本考案の保湿導電構造の第２実施例を示す図である。図４に示すように、本実施例では、本考案の保湿導電構造３０は、複数本の導電紡績ユニット３００と、複数本の保湿紡績ユニット３０１とを含み、これらの導電紡績ユニット３００とこれらの保湿紡績ユニット３０１とは、鎖編み方式により平面体構造に交互に編組されており、当該導電紡績ユニット３００は、金属繊維紗（metal fiber yarn）、カーボンナノチューブ繊維紗（carbon nanotube firber yarn）及びカーボン繊維紗（carbon fiber yarn）、或いは、金属繊維（metal fiber）、カーボンナノチューブ繊維（carbon nanotube firber）及びカーボン繊維（carbon fiber）のうち一つであり、当該保湿紡績ユニット２０１は、多孔質繊維紗（porous fiber yarn）、アルギン酸ナトリウム繊維紗（alginate fiber yarn）、カルボキシメチルセルロース繊維紗（carboxymethyl cellulose fiber yarn）及びレーヨン短繊維紗（rayon fiber yarn）、或いは、多孔質繊維（porous fiber）、アルギン酸ナトリウム繊維（alginate fiber）、カルボキシメチルセルロース繊維（carboxymethyl cellulose fiber）及びレーヨン短繊維（rayon fiber）のうち一つである。また、図５を参照し、本考案の保湿導電構造は、不織布方式により作製してもよい。そのため、導電紡績ユニット３００と保湿紡績ユニット３０１は不規則に交互に絡まれる。
【００２０】
上記のような保湿導電構造は、平織法、鎖編み法または不織布法により導電紡績ユニットと保湿紡績ユニットとを平面体構造に交互に編組して、保湿紡績ユニットが水分を導電紡績ユニットと人体の皮膚との間に直接に吸収及び放出可能に確保し、また、導電紡績ユニットと保湿紡績ユニットとは同一層に緻密に絡まれているため、保湿紡績ユニットが長期間で潤湿されることによる導電紡績ユニットと保湿紡績ユニットとが分離されて機能まで影響してしまうことはない。よって、本考案は、従来の技術上の欠点を確実に改善した。
【００２１】
以上のように、単に本考案の好ましい具体的な実施例に過ぎず、本考案の特許請求の範囲を限定するものではなく、いずれの本考案の特許請求の範囲及び明細書の内容によって実施した簡単的等価な変更や修飾などが、本考案の主張範囲内に納入されるべきことは言うまでもないことである。
【符号の説明】
【００２２】
１      センシング素子
１０    下地層
１１    導電層
１２    保湿層
２０    保湿導電構造
２００  導電紡績ユニット
２０１  保湿紡績ユニット
３０    保湿導電構造
３００  導電紡績ユニット
３０１  保湿紡績ユニット
【図１】
0003182968.tif 000003
【図２】
0003182968.tif 000004
【図３】
0003182968.tif 000005
【図４】
0003182968.tif 000006
【図５】
0003182968.tif 000007